(57)【要約】【課題】  種々のケーブル（ＩＥＥＥ１３９４、ＵＳＢ等）に関して、ＤＶＣ本体においてケーブルの誤挿入を防止し、かつ所定のコネクタに挿入するようにアシストする。【解決手段】  カメラ一体型ＶＴＲにおいて、ケーブルを使用する際にケーブルを挿入すべき該カメラ一体型ＶＴＲのコネクタを認識する手段を有することを特徴とするカメラ一体型ＶＴＲにおけるユーザインターフェースを用いる。【選択図】  図１
2006246024.tif 000002
【特許請求の範囲】
【請求項１】
カメラ一体型ＶＴＲにおいて、ケーブルを使用する際にケーブルを挿入すべき該カメラ一体型ＶＴＲのコネクタを認識する手段を有することを特徴とするカメラ一体型ＶＴＲにおけるユーザインターフェース。
【請求項２】
カメラ一体型ＶＴＲに挿入するケーブルに非接触ＩＤタグを実装することを特徴とする請求項１記載のカメラ一体型ＶＴＲにおけるユーザインターフェース。
【請求項３】
カメラ一体型ＶＴＲにおいて、該カメラ一体型ＶＴＲのコネクタに挿入するケーブルの種類を判別する手段を有することを特徴とする請求項１〜２記載のカメラ一体型ＶＴＲにおけるユーザインターフェース。
【請求項４】
カメラ一体型ＶＴＲにおいて、ケーブルを挿入すべき該カメラ一体型ＶＴＲのコネクタをユーザに報知する手段を有することを特徴とする請求項１〜３記載のカメラ一体型ＶＴＲにおけるユーザインターフェース。
【請求項５】
カメラ一体型ＶＴＲにおいて、ケーブルを挿入すべき該カメラ一体型ＶＴＲのコネクタを開閉する手段を有することを特徴とする請求項１〜３記載のカメラ一体型ＶＴＲにおけるユーザインターフェース。
【請求項６】
カメラ一体型ＶＴＲに使用されるケーブルにおいて、ケーブルに実装されている非接触ＩＤタグにケーブルの種類を判別する情報を格納していることを特徴とするカメラ一体型ＶＴＲにおけるユーザインターフェース。
【請求項７】
カメラ一体型ＶＴＲにおいて、使用されるケーブルに実装されている非接触ＩＤタグと該カメラ一体型ＶＴＲ本体との無線を介しての通信をＯＮ、ＯＦＦできるようにケーブルに通信許可手段を有することを特徴とする請求項１〜６記載のカメラ一体型ＶＴＲにおけるユーザインターフェース。
【請求項８】
カメラ一体型ＶＴＲにおいて、非接触ＩＤタグを有するメモリカード等の記録媒体を挿入するスロットを有し、記録媒体に実装されている非接触ＩＤタグと該カメラ一体型ＶＴＲ本体と無線を介して通信を行い、該メモリカード等の記録媒体を挿入するスロットをユーザに報知する手段を有することを特徴とする請求項１〜７記載のカメラ一体型ＶＴＲにおけるユーザインターフェース。
【請求項９】
カメラ一体型ＶＴＲにおいて、該カメラ一体型ＶＴＲに装着するバッテリに非接触ＩＤタグを有し、無線を介して該バッテリの充電回数を充電器により、非接触ＩＤタグに書き込むことを特徴とする請求項１〜８記載のカメラ一体型ＶＴＲにおけるユーザインターフェース。
【請求項１０】
カメラ一体型ＶＴＲにおいて、該カメラ一体型ＶＴＲ本体と、非接触ＩＤタグとの無線を介しての通信に基づく情報を該カメラ一体型ＶＴＲの記録・再生映像を表示する表示手段に表示することを特徴とする請求項１〜９記載のカメラ一体型ＶＴＲにおけるユーザインターフェース。
【発明の詳細な説明】
【技術分野】
【０００１】
本発明は、カメラ一体型のＶＴＲに関するものであり、特にカメラ一体型ＶＴＲにおいてＤＶ端子ケーブル（ＩＥＥＥ１３９４ケーブル）、ＵＳＢ（Ｕｎｉｖｅｒｓａｌ  Ｓｅｒｉａｌ  Ｂｕｓ）ケーブル等をカメラ一体型ＶＴＲ本体に接続する際に各ケーブルのコネクタ以外のコネクタ部に誤って挿入することを防ぐことができるユーザインターフェースに関するものである。
【背景技術】
【０００２】
従来、カメラ一体型ＶＴＲにおいては、種々のコネクタが存在していた。また、例えばＤＶ端子（ＩＥＥＥ１３９４端子）に関しては、カメラ一体型ＶＴＲ本体でのコネクタ実装位置がカメラ一体型ＶＴＲの種類によって、様々な位置に存在しており、ユーザにとってわかりにくい構造になっていた。また、カメラ一体型ＶＴＲにおいて、例えば、ＤＶ端子、ＵＳＢ（Ｕｎｉｖｅｒｓａｌ  Ｓｅｒｉａｌ  Ｂｕｓ）端子は、外観上、似かよっており、見間違う可能性があった。そのため、例えばＤＶケーブルをカメラ一体型ＶＴＲ本体のＵＳＢコネクタに挿入してしまう可能性があった。更に、ＤＶケーブルをカメラ一体型ＶＴＲ本体のＤＶ端子に挿入しようとした場合、カメラ一体型ＶＴＲ本体のＤＶ端子はコネクタ端子を保護するためのカバーで覆われており、どこに存在するのかわからなかった。
【０００３】
又、従来例としては、例えば特許文献１をあげることが出来る。
【特許文献１】特開２００１−３０９４５９号公報
【発明の開示】
【発明が解決しようとする課題】
【０００４】
しかしながら、カメラ一体型ＶＴＲを様々な周辺機器にケーブルで接続する機会が増えてきており、それに応じて複数のケーブルが存在し、カメラ一体型ＶＴＲ本体において本来挿入すべきコネクタ以外のコネクタに誤挿入する可能性が高くなる。この結果、カメラ一体型ＶＴＲ本体におけるコネクタを破壊してしまう。更に、カメラ一体型ＶＴＲ本体において、メーカーによって、あるいは同一メーカーであってもカメラ一体型ＶＴＲの種類によって、コネクタの実装位置が異なり、コネクタ位置が散在しており、使用するケーブルを挿入すべきコネクタ位置がわからない場合もある。
【０００５】
本発明は、上記課題を鑑み、これを回避するために、カメラ一体型ＶＴＲにおけるコネクタへのケーブルの誤挿入を防止し、所望のコネクタへ挿入できるシステムを提供することを目的とする。
【課題を解決するための手段】
【０００６】
従って、本発明のユーザインターフェースを用いたカメラ一体型ＶＴＲシステムは、カメラ一体型ＶＴＲにケーブルを近づけると、本来ケーブルを挿入すべきコネクタをユーザに知らしめるための手段を有する。
【０００７】
その手段として、ケーブルに非接触ＩＤタグ（無線タグ、ＲＦＩＤタグの呼称は様々であるが、本発明においては、非接触ＩＤタグと呼ぶことにする）を実装し、カメラ一体型ＶＴＲにＲｅａｄｅｒ／Ｗｒｉｔｅｒユニットを設ける。そして、ケーブルを近づけると、非接触ＩＤタグとの無線通信により、カメラ一体型ＶＴＲは該カメラ一体型ＶＴＲに挿入しようとしている該ケーブルの種類を判別し、ケーブルを挿入すべきコネクタをユーザに知らしめる。
【０００８】
該知らしめる手段として、カメラ一体型ＶＴＲにおけるコネクタ近傍にＬＥＤ（Ｌｉｇｈｔ  Ｅｍｍｉｔｉｏｎ  Ｄｉｏｄｅ）を設け、挿入すべきコネクタ近傍のＬＥＤを点灯させる。
【０００９】
更に、他の手段としてカメラ一体型ＶＴＲにおける液晶パネル等の表示手段にケーブルを挿入すべきカメラ一体型ＶＴＲのコネクタを表示させてもよい。
【００１０】
更に、他の手段としてカメラ一体型ＶＴＲにおいてコネクタ部にシャッター機能を有し、ユーザがケーブルを挿入する際に、該ケーブルを挿入すべきコネクタのシャッターのみを開き、ケーブルを挿入すべきコネクタ以外のシャッターを閉じることにより、ケーブルを挿入すべきカメラ一体型ＶＴＲのコネクタをユーザに知らしめてもよい。
【００１１】
また、本発明において、カメラ一体型ＶＴＲに様々な記録メディアが使用される場合、例えば、ＭＭＣ、ＳＤカード等のメモリカードを使用する場合、メモリカードのパッケージ部分に非接触ＩＤタグを設けることにより、該メモリカードをカメラ一体型ＶＴＲに近づけることにより、該メモリカードを挿入すべきスロットをユーザに知らしめることができる。メモリカードスロットが複数存在する場合も同様である。
【００１２】
また、本発明において、カメラ一体型ＶＴＲにバッテリが使用される場合、バッテリの外装部分に非接触ＩＤタグを実装し、バッテリ充電器にＲｅａｄｅｒ／Ｗｒｉｔｅｒユニットを設け、バッテリ充電器からバッテリに実装されている非接触ＩＤタグにバッテリの充電回数を送信する（充電回数をインクリメントする）。該バッテリをカメラ一体型ＶＴＲに装着する際、カメラ一体型ＶＴＲはバッテリの非接触ＩＤタグのメモリに記録されている充電回数を読み込み、該充電回数に基づきバッテリの寿命をユーザに知らしめることも可能である。また、バッテリが充電されているか否かもユーザに知らしめることができる。
【発明の効果】
【００１３】
以上説明したように、本発明によれば、ＩＥＥＥ１３９４ケーブル、あるいはＵＳＢケーブルのモールド部分に非接触ＩＤタグを、カメラ一体型ＶＴＲに非接触ＩＤタグとの通信用のＲｅａｄｅｒ／Ｗｒｉｔｅｒユニットを設け、ユーザがケーブルをカメラ一体型ＶＴＲに近づけた場合、該カメラ一体型ＶＴＲのＲｅａｄｅｒ／Ｗｒｉｔｅｒユニット―非接触ＩＤタグとの間で無線を介しての通信を行い、該カメラ一体型ＶＴＲはケーブルに実装されている非接触ＩＤタグから該ケーブルの種類を判別する情報を読み出し、該ケーブルの種類を認識する。そして、該カメラ一体型ＶＴＲのコネクタの近傍に、例えばＬＥＤを設け、非接触ＩＤタグから読み出したケーブルの種類を判別する情報に基づいて該ＬＥＤを点灯させることにより、該ケーブルを挿入すべきコネクタをユーザに知らしめることができる。
【００１４】
更に、カメラ一体型ＶＴＲの液晶パネル等の記録・再生映像表示手段に該ケーブルを挿入すべきカメラ一体型ＶＴＲにおけるコネクタ位置を表示させることにより、ユーザにわかりやすくコネクタ挿入箇所情報を提供できる。
【００１５】
更にケーブルに実装されている非接触ＩＤタグのメモリにカメラ一体型ＶＴＲのコネクタとの挿抜回数を書き込むことにより、再度、該ケーブルをコネクタに挿入する際にカメラ一体型ＶＴＲは、ケーブルの非接触ＩＤタグに書かれている挿抜回数を読み出し、コネクタ、あるいはケーブルの補償している挿抜耐久回数を超えた場合、該情報をユーザに報知することができる。
【００１６】
更にバッテリに非接触ＩＤタグを実装し、充電器にアンテナを設け、該アンテナから該バッテリの非接触ＩＤタグに無線を介し、充電回数を書き込むことにより、該バッテリをカメラ一体型ＶＴＲに装着する際、カメラ一体型ＶＴＲのアンテナから無線を介し、該バッテリの非接触ＩＤタグに書き込まれている充電回数を読み込み、該読み込んだ情報に基づいてバッテリの寿命を判断することができる。該情報は、カメラ一体型ＶＴＲの表示手段にてユーザに報知することができる。
【発明を実施するための最良の形態】
【００１７】
（実施例１）
図１に本発明の第一の実施例に関わるブロック図を示す。
【００１８】
１０１はＩＥＥＥ１３９４、あるいはＵＳＢ等のケーブル、１０２はケーブルのモールド部、１０３はケーブルのモールド部に実装している非接触ＩＤタグ、１０４は非接触ＩＤタグを構成するブロック図、１０５は非接触ＩＤタグ１０３内のＲＯＭ、ＦｅＲＡＭ、ＥＥＰＲＯＭ等のメモリ、１０６はロジック回路、１０７はＲＦ回路、１０８はＤＶＣ本体に搭載し、非接触ＩＤタグ１０３と通信するためのＲｅａｄ／Ｗｒｉｔｅユニットを構成するブロック図、１０９はＲｅａｄ／Ｗｒｉｔｅユニット部１０８内のＲｅａｄ／Ｗｒｉｔｅ回路、１１０はロジック回路、１１１は外部インターフェース回路、１１２はアンテナ、１１３はカメラ一体型ＶＴＲを制御するＭＰＵである。
【００１９】
以下に非接触ＩＤタグの動作概要を説明する。
【００２０】
非接触ＩＤタグ１０３は、Ｒｅａｄ／Ｗｒｉｔｅユニット部１０８内のロジック回路１１０に制御され、Ｒ／Ｗ回路１０９からアンテナ１１２を介してエネルギーが供給され、電磁誘導によって発電し、駆動する。従って、非接触ＩＤタグ１０３を実装しているケーブル１０１には電源は必要なく、電池レスにてＲｅａｄ／Ｗｒｉｔｅユニット部１０８との通信が可能である。
【００２１】
電磁誘導により、発電した非接触ＩＤタグ１０３は、メモリ部１０５に格納している情報を無線でＲｅａｄ／Ｗｒｉｔｅユニット部１０８に対し、発信する。ロジック部１０６は、メモリ部１０５に格納している情報を無線で発信するために、該情報をＲＦ回路部１０７に入力するための制御を行う。
【００２２】
また、Ｒｅａｄ／Ｗｒｉｔｅユニット部１０８は、Ｒｅａｄ／Ｗｒｉｔｅ回路１０９にて非接触ＩＤタグ１０３からの情報を受信し、周辺回路のインターフェースに合わせるため、ロジック回路１１１を介して外部インターフェース回路１１１にて該情報を周辺回路のインターフェースに合わせる。例えば、ＭＰＵ１１３にて該情報を取得する場合に、外部インターフェース回路１１１にてシリアルデータに変換し、ＭＰＵ１１３に供給する。
【００２３】
次に上記非接触ＩＤタグを用いた本実施形態について説明する。
【００２４】
カメラ一体型ＶＴＲを様々な周辺機器にケーブルで接続する機会が増えてきている。例えば、ＩＥＥＥ１３９４ケーブルを用いてＰｅｒｓｏｎａｌ  Ｃｏｍｐｕｔｅｒと接続し、記録した映像をＰｅｒｓｏｎａｌ  Ｃｏｍｐｕｔｅｒに取り込み、編集する等の場合である。様々な周辺機器にケーブルで接続する機会が増える場合、それに応じて複数のケーブルが存在し、ユーザは、ケーブルをカメラ一体型ＶＴＲのコネクタに挿入する際、本来挿入すべきコネクタ以外のコネクタに誤挿入する可能性が高くなる。この結果、カメラ一体型ＶＴＲ本体におけるコネクタを破壊してしまう。更に、カメラ一体型ＶＴＲ本体において、メーカーによって、あるいは同一メーカーであってもカメラ一体型ＶＴＲの種類によって、コネクタの実装位置が異なり、コネクタ位置が散在しており、使用するケーブルを挿入すべきコネクタ位置がわからない場合もある。
【００２５】
このような場合、例えば、ＩＥＥＥ１３９４ケーブルをＵＳＢコネクタに挿入してしまう可能性がある。本実施例はこのようなケーブルの誤挿入を防ぐことを目的とする。
【００２６】
本実施例では説明のために、ＩＥＥＥ１３９４ケーブルを用いて説明する。図１に示すようにＩＥＥＥ１３９４ケーブル１０１のモールド部１０２に非接触ＩＤタグ１０３が実装されている。また、該非接触ＩＤタグ１０３におけるメモリ１０５にはケーブルの種類を識別するためのＩＤ情報が書き込まれている。
【００２７】
ここでは「ＩＥＥＥ１３９４ケーブル」と識別可能なＩＤ情報が書かれている。
【００２８】
該ケーブル１０１を図２に示すカメラ一体型ＶＴＲに接続する。ここで、図中、２０１はカメラ一体型ＶＴＲ本体、２０２はレンズ、２０３は液晶パネル等の表示装置、２０４はカメラ一体型ＶＴＲ２０１に内蔵されているＲｅａｄ／Ｗｒｉｔｅユニット、２０５はＵＳＢコネクタ、２０７はＩＥＥＥ１３９４コネクタ、２０６、２０８はそれぞれ、ＵＳＢコネクタ近傍、ＩＥＥＥ１３９４コネクタ近傍に位置するＬＥＤである。
【００２９】
ケーブル１０１をカメラ一体型ＶＴＲ２０１のコネクタに接続しようとして、近づける。この際、カメラ一体型ＶＴＲ２０１に搭載されているＲｅａｄ／Ｗｒｉｔｅユニット２０４から非接触ＩＤタグ１０３に対し、エネルギーが供給され、該非接触ＩＤタグ１０３は、電磁誘導によって発電し、駆動する。そして、該非接触ＩＤタグ１０３内のメモリ１０５に書き込まれているケーブル識別ＩＤ情報を読み出し、無線でＲｅａｄ／Ｗｒｉｔｅユニット部１０８に対し、発信される。本実施例では、「ＩＥＥＥ１３９４ケーブル」という識別ＩＤ情報をＲｅａｄ／Ｗｒｉｔｅユニット部１０８に対し、発信する。Ｒｅａｄ／Ｗｒｉｔｅユニット部１０８では、受信した該識別ＩＤ情報を外部インターフェース回路１１１にてシリアルデータに変換し、カメラ一体型ＶＴＲ２０１のＭＰＵ１１３に送信する。ＭＰＵ１１３は該識別ＩＤ情報に基づき、カメラ一体型ＶＴＲ２０１本体におけるＩＥＥＥ１３９４コネクタ近傍に位置するＬＥＤ２０８を点灯させる。ユーザは該点灯したＬＥＤ２０８に基づき、ケーブル１０１を挿入すべきカメラ一体型ＶＴＲ２０１本体のコネクタを認識することができる。
【００３０】
また、ユーザがＵＳＢケーブルを使用する場合も同様に、該ケーブルをカメラ一体型ＶＴＲ２０１本体に挿入しようとして、該カメラ一体型ＶＴＲ２０１に近づけた場合、カメラ一体型ＶＴＲ２０１本体におけるＵＳＢコネクタ近傍に位置するＬＥＤ２０６を点灯させ、ユーザにＵＳＢケーブルを挿入するべきコネクタを知らしめる。
【００３１】
本実施例では、該カメラ一体型ＶＴＲにおけるコネクタ近傍にＬＥＤを設け、該ＬＥＤにてケーブルを挿入すべきコネクタをユーザに報知した。該ＬＥＤの換わりに液晶パネル等の表示装置２０３にて、図３に示すように視覚的にユーザに知らしめてもよい。この場合、ケーブル１０１をカメラ一体型ＶＴＲ２０１に接続しようとして、近づけたとする。この際、カメラ一体型ＶＴＲ２０１に搭載されているＲｅａｄ／Ｗｒｉｔｅユニット２０４から非接触ＩＤタグ１０３に対し、エネルギーが供給され、該非接触ＩＤタグ１０３は、電磁誘導によって発電し、駆動する。そして、該非接触ＩＤタグ１０３内のメモリ１０５に書き込まれているケーブル識別ＩＤ情報を読み出し、無線でＲｅａｄ／Ｗｒｉｔｅユニット部１０８に対し、発信される。本実施例では、「ＩＥＥＥ１３９４ケーブル」という識別ＩＤ情報をＲｅａｄ／Ｗｒｉｔｅユニット部１０８に対し、発信する。Ｒｅａｄ／Ｗｒｉｔｅユニット部１０８では、受信した該識別ＩＤ情報を外部インターフェース回路１１１にてシリアルデータに変換し、カメラ一体型ＶＴＲ２０１のＭＰＵ１１３に送信する。ＭＰＵ１１３は該識別ＩＤ情報に基づき、表示装置２０３に図３に示すようにカメラ一体型ＶＴＲ２０１本体における複数のうち、どのコネクタに挿入すべきかを視覚的に表示する。例えば、ケーブル１０１がＩＥＥＥ１３９４ケーブルの場合、表示装置２０３において、カメラ一体型ＶＴＲ２０１のＩＥＥＥ１３９４コネクタ２０７を表示装置２０３を通じて視覚的にユーザに知らしめる。知らしめる手段としては、（１）表示装置において、該コネクタ２０７を点滅させる。（２）表示装置において、該コネクタ２０７を矢印等で指示する。
【００３２】
こうすることにより、ユーザは、表示装置２０３の表示に基づいて、ケーブル１０１を挿入すべきカメラ一体型ＶＴＲ２０１本体のコネクタを認識することができる。
【００３３】
また、ケーブルの誤挿入防止手段として、図５にカメラ一体型ＶＴＲ２０１のコネクタ部の別形態を示す。図中、５０１はカメラ一体型ＶＴＲ２０１のコネクタ部の拡大図、５０２はコネクタ部２０７の構成である。
【００３４】
ケーブル１０１をカメラ一体型ＶＴＲ２０１に接続しようとして、近づけたとする。この際、カメラ一体型ＶＴＲ２０１に搭載されているＲｅａｄ／Ｗｒｉｔｅユニット２０４から非接触ＩＤタグ１０３に対し、エネルギーが供給され、ケーブル１０１のモールド部１０２に実装されている該非接触ＩＤタグ１０３は、電磁誘導によって発電し、駆動する。そして、該非接触ＩＤタグ１０３内のメモリ１０５に書き込まれているケーブル識別ＩＤ情報を読み出し、無線でＲｅａｄ／Ｗｒｉｔｅユニット部１０８に対し、発信される。本実施例では、「ＩＥＥＥ１３９４ケーブル」という識別情報をＲｅａｄ／Ｗｒｉｔｅユニット部１０８に対し、発信する。Ｒｅａｄ／Ｗｒｉｔｅユニット部１０８では、受信した該識別ＩＤ情報を外部インターフェース回路１１１経由でカメラ一体型ＶＴＲ２０１のＭＰＵ１１３に送信する。ＭＰＵ１１３は該識別ＩＤ情報に基づき、ユーザがケーブル１０１を挿入できるようにＩＥＥＥ１３９４コネクタ部２０７をＩＥＥＥ１３９４コネクタ部５０２の外装をＡからＢの方向に開く構成とする。非接触ＩＤタグ１０３内のメモリ１０５に書き込まれているケーブル識別ＩＤ情報が「ＵＳＢケーブル」の場合、ＵＳＢコネクタ部２０５が同様に開く。
【００３５】
更に、図４にケーブル１０１の別構成を示す。ケーブル１０１のモールド部分１０２にスイッチ４０１を設ける。該スイッチ４０１は非接触ＩＤタグ１０３の駆動許可スイッチである。ユーザは該ケーブル１０１をカメラ一体型ＶＴＲ２０１本体のコネクタに挿入する場合、該スイッチ４０１を押す。該スイッチ４０１を押された場合にのみ、非接触ＩＤタグ１０３は発電し、駆動する構成としてもよい。
【００３６】
また、ケーブル１０１のモールド部分１０２に実装されている非接触ＩＤタグ１０３のメモリ部１０５にカメラ一体型ＶＴＲ２０１におけるコネクタとの挿抜回数を書き込む。例えば、該ケーブル１０１をカメラ一体型ＶＴＲ２０１におけるコネクタに挿入する際にカメラ一体型ＶＴＲ２０１に内蔵されているＲｅａｄ／Ｗｒｉｔｅユニット２０４から無線で該非接触ＩＤタグ１０３のメモリ部１０５にケーブル挿入回数を書き込む。再度、該ケーブル１０１を挿入する際に、該挿入回数をインクリメントする。該ケーブル１０１の挿抜回数が該ケーブル、あるいはカメラ一体型ＶＴＲ２０１のコネクタの補償している挿抜耐久回数を超えた場合、カメラ一体型ＶＴＲ２０１の表示装置２０３にメッセージを表示させ、ユーザにケーブル交換を促すことも可能である。
【００３７】
更に、カメラ一体型ＶＴＲにおいて使用するバッテリの外装部分にも非接触ＩＤタグを実装し、該バッテリを充電器にて充電する場合、該充電器にＲｅａｄ／Ｗｒｉｔｅユニットを内蔵させておき、該バッテリを該充電器にて充電するためにセットした際に、該バッテリに実装している非接触ＩＤタグのメモリ部に対し、該充電器におけるＲｅａｄ／Ｗｒｉｔｅユニットから無線で充電回数（バッテリを充電器にセットした回数）を書き込む。充電された該バッテリをカメラ一体型ＶＴＲにて使用する場合、該バッテリに実装している非接触ＩＤタグのメモリ部から充電回数情報を読み出し、無線でカメラ一体型ＶＴＲにおけるＲｅａｄ／Ｗｒｉｔｅユニット部に対し、発信される。カメラ一体型ＶＴＲにおいて、該発信された情報に基づいて、例えば、該充電回数がバッテリの充電補償回数を超えていた場合、カメラ一体型ＶＴＲの表示装置にメッセージを表示させ、ユーザにバッテリ交換を促すことも可能である。
【００３８】
こうすることにより、バッテリの寿命をユーザに知らしめることができる。
【００３９】
以上のように、ケーブルに非接触ＩＤタグを実装し、該ケーブルを挿入すべきコネクタをユーザに知らしめることにより、ケーブルの誤挿入を防ぐことができる。
【００４０】
また、ケーブル、バッテリの寿命をも知らしめることができる。
【００４１】
（実施例２）
本発明の他の実施例について説明する。
【００４２】
図６に他の実施例に係わるブロック図を示す。図中、第一の実施例と同じ機能を有するブロックは同一の番号を付す。６０１はＭＭＣ、あるいはＳＤカード等のメモリカード、６０２はファインダ、６０３はカード挿入スロット、６０３は該カード挿入スロット近傍に位置するＬＥＤである。
【００４３】
メモリカード６０１には、非接触ＩＤタグ１０３が実装されている。
【００４４】
ユーザはメモリカード６０１をカメラ一体型ＶＴＲ２０１本体のカード挿入スロット６０３に挿入しようと、カメラ一体型ＶＴＲ２０１に近づけたとする。この際、カメラ一体型ＶＴＲ２０１に搭載されているＲｅａｄ／Ｗｒｉｔｅユニット２０４からメモリカード６０１に実装されている非接触タグ１０３に対し、エネルギーが供給され、該非接触タグ１０３は、電磁誘導によって発電し、駆動する。そして、該非接触タグ１０３内のメモリ１０５に書き込まれている記録メディア識別情報を読み出し、無線でＲｅａｄ／Ｗｒｉｔｅユニット部１０８に対し、発信される。本実施例では、例えば、「ＳＤカード」という識別情報をＲｅａｄ／Ｗｒｉｔｅユニット部１０８に対し、発信する。Ｒｅａｄ／Ｗｒｉｔｅユニット部１０８では、受信した該識別情報を外部インターフェース回路１１１経由でカメラ一体型ＶＴＲ２０１のＭＰＵ１１３に送信する。ＭＰＵ１１３は該識別情報に基づき、該記録メディア（本実施例ではＳＤカード）近傍のＬＥＤ６０４を点灯させる。ユーザは該点灯したＬＥＤを見て、該記録メディアを挿入すべきスロットを認識する。
【００４５】
このとき、既に該スロット６０３に記録メディアが挿入されていた場合、ＬＥＤ６０４を点滅させて、ユーザに知らしめてもよい。また、カメラ一体型ＶＴＲ２０１のおける液晶パネル等の表示装置２０３に既に該スロット６０３に記録メディアが挿入されている情報、あるいは、該記録メディアを挿入できる他のスロット情報を表示させてもよい。ここでは、報知方法を特に限定はしない。
【００４６】
以上のように記録メディアのパッケージに非接触ＩＤタグを実装することにより、該記録メディアを挿入すべきスロットをユーザに知らしめることができ、誤挿入を防ぐことができる。
【図面の簡単な説明】
【００４７】
【図１】本発明の第一の実施例における構成を示すブロック図。
【図２】本発明の第一の実施例のカメラ一体型ＶＴＲを示すブロック図。
【図３】本発明の第一の実施例のカメラ一体型ＶＴＲの表示手段を示すブロック図。
【図４】本発明の第一の実施例におけるケーブルの別形態を示す図。
【図５】本発明の第一の実施例のカメラ一体型ＶＴＲのコネクタ構成を示す図。
【図６】本発明の第二の実施例のカメラ一体型ＶＴＲを示すブロック図。
【符号の説明】
【００４８】
１０１  ケーブル
１０２  ケーブルのモールド部
１０３  非接触ＩＤタグ
１０４  非接触ＩＤタグのブロック図
１０５  メモリ
１０６  ロジック回路
１０７  ＲＦ回路
１０８  Ｒｅａｄ／Ｗｒｉｔｅユニット
１０９  Ｒｅａｄ／Ｗｒｉｔｅ回路
１１０  ロジック回路
１１１  外部インターフェース回路
１１２  アンテナ
１１３  ＭＰＵ
２０１  カメラ一体型ＶＴＲ
２０２  レンズ
２０３  表示装置
２０４  カメラ一体型ＶＴＲに内蔵されているＲｅａｄ／Ｗｒｉｔｅユニット
２０５  ＵＳＢコネクタ
２０６  ＬＥＤ
２０７  ＩＥＥＥ１３９４コネクタ
２０８  ＬＥＤ
４０１  非接触ＩＤタグ駆動許可スイッチ
５０１  カメラ一体型ＶＴＲにおけるコネクタ部
５０２  コネクタ構成
６０１  記録メディア（ＭＭＣ、ＳＤカード等）
６０２  ファインダ
６０３  メモリカード挿入スロット
６０４  ＬＥＤ
【図１】
2006246024.tif 000003
【図２】
2006246024.tif 000004
【図３】
2006246024.tif 000005
【図４】
2006246024.tif 000006
【図５】
2006246024.tif 000007
【図６】
2006246024.tif 000008